(57)【要約】【課題】液晶装置の光学特性を正確に評価する。【解決手段】光学特性評価装置４００では、回転機構８１ｂが、評価装置４００による液晶装置１の光学特性評価時に、第１偏光板４５ａを固定した状態で、光軸４０を中心にして第２偏光板４５ｂを回転させ、第１偏光板４５ａ及び第２偏光板４５ｂの夫々に透過軸を相互に直交させる。第１偏光板４５ａ及び第２偏光板４５ｂの夫々の透過軸を相互に直交させることによって、ＶＡモードで配向が規制される液晶を用いた液晶装置１の光学特性を正確に評価できる。【選択図】図４
2008076984.tif 000002
【特許請求の範囲】
【請求項１】
液晶装置の光学特性を評価するための光学特性評価装置であって、
前記液晶装置を保持する液晶装置保持部と、
前記液晶装置保持部に保持される液晶装置に光を照射するための光源と、
前記液晶装置保持部に対して、前記光源側又は前記光源とは反対側の少なくとも一方に配置された偏光板保持部と、
前記偏光板保持部に保持された偏光板を、前記光の光軸を中心にして回転させるための第１回転手段と、
前記液晶装置保持部に対して、前記光源とは反対側に配置された投射レンズと、
前記液晶装置保持部に保持される液晶装置と、前記投写レンズとを透過して投射された光を検出することにより、前記液晶装置の光学特性を測定する測定部と
を備えることを特徴とする光学特性評価装置。
【請求項２】
前記液晶装置保持部と前記光源との間には、前記光源から出射した光のうち所定の波長を有する光を選択的に透過させる光学フィルタを配置するための光学フィルタ用スペースが設けられていること
を特徴とする請求項１に記載の光学特性評価装置。
【請求項３】
前記液晶装置保持部と前記偏光板保持部との間に、位相差板を配置するための位相差板用スペースが設けられていること
を特徴する請求項１又は２に記載の光学特性評価装置。
【請求項４】
前記位相差板用スペースに配置された位相差板を、前記光軸を中心として回転させるための第２回転手段を更に備えたこと
を特徴とする請求項３に記載の光学特性評価装置。
【請求項５】
開口部を有し、前記液晶装置保持部と前記投写レンズとの間に配置された取り込み絞りを更に備え、
前記投射レンズは、前記取り込み絞りにより取り込まれた光を投射すること
を特徴とする請求項１から４の何れか一項に記載の光学特性評価装置。
【請求項６】
前記投射レンズは、前記取り込み絞りにより取り込まれた光の光路上で、前記取り込み絞りに対して他の光学部材を介することなく隣接していること
を特徴とする請求項５に記載の光学特性評価装置。
【請求項７】
前記取り込み絞りは、取り外し可能に構成されていること
を特徴とする請求項５又は６に記載の光学特性評価装置。
【請求項８】
前記光源から出射された光を集光する集光手段を更に備えること
を特徴とする請求項１から７の何れか一項に記載の光学特性評価装置。
【請求項９】
一対の基板間に液晶分子の誘電率異方性が負である液晶層が挟持されてなる液晶装置を製造する方法であって、
請求項１から８の何れか一項に記載の光学特性評価装置を用いて液晶装置の光学特性を検査する検査工程を備えたこと
を特徴とする液晶装置の製造方法。
【発明の詳細な説明】
【技術分野】
【０００１】
本発明は、例えば、液晶プロジェクタのライトバルブに用いられる液晶装置の光学特性を評価可能な光学特性評価装置、及びそのような光学特性評価装置を用いて液晶装置の光学特性を検査する工程を含む液晶装置の製造方法の技術分野に関する。
【背景技術】
【０００２】
この種の光学特性評価によれば、例えば、光源から出射される光を液晶装置に照射し、液晶装置からの出射光を照度計を用いて検出することにより、液晶装置の光学特性の測定している。実際の液晶プロジェクタは、液晶装置における表示画像をスクリーン上に拡大投射させる投射光学系を備えている。上述した光学特性評価装置にも、投射光学系と同様の光学系が液晶装置に対して光の出射側に設けられている。液晶装置の光学特性を評価する際には、液晶装置から出射された出射光が、出射側光学系を介して照度計に入射される。このような光学特性評価装置の一例として、特許文献１は、液晶装置等のパネルに入射する入射光が当該パネルに入射する際の入射角度等に応じて、パネルの光学特性を正確に評価可能な装置を開示している。また、特許文献２は、特許文献１に開示された光学特性評価装置を改善することによって、更に精度良く液晶装置等の電気光学装置の光学特性を検査するための電気光学装置の検査装置を開示している。
【０００３】
【特許文献１】特開２００２−３６５１６２号公報
【特許文献２】特開２００５−１１４５２０号公報
【発明の開示】
【発明が解決しようとする課題】
【０００４】
しかしながら、液晶分子によって光を変調する液晶装置では、以下の問題点がある。
【０００５】
先ず、第１に、プロジェクタによって投射される投射画像の表示品位の向上に対する要請に伴い、ライトバルブに用いられる液晶装置の表示画像のコントラストも高くなっているため、液晶装置の光入射側及び光出射側の夫々に配置される偏光板の透過軸が相互にずれている場合、液晶装置の透過率及びコントラスト等の光学特性を正確に測定できない問題点がある。例えば、液晶分子の誘電率異方性が負である場合、即ち液晶分子がＶＡ（Vertically Aligned）モードで駆動される場合、液晶装置の光入射側及び光出射側の夫々に配置された偏光板の透過軸は、理想的には相互に直交するように配置されるが、これら偏光板を配置する際に、１乃至２°程度の僅かな軸ずれを生じてしまうことがある。特に、ＶＡモードで駆動される液晶分子を有する液晶装置では、このような僅かな軸ずれであっても、液晶装置によって表示される表示画像のコントラストが大きく変動し、液晶装置の透過率或いはコントラスト等の光学特性を正確に測定することが困難となる。
【０００６】
第２に、ライトバルブの用いられる液晶装置は、プロジェクタにおいて赤色、緑色、及び青色の夫々に対応して設けられているため、これら各色の波長毎に液晶装置の光学特性を評価する必要があるが、従来、光源から出射される光の分光スペクトルの範囲内（即ち、複数の波長成分が混在した状態）でその透過率等の光学特性を測定できるのみであった。したがって、一つの光源から出射された光を用いて光の波長毎に液晶装置の光学特性を測定することができない問題点がある。
【０００７】
第３に、液晶装置単独の光学特性を測定した場合には、液晶装置をプロジェクタに搭載した状態、即ち実機に近い状態における液晶装置の光学特性を正確に測定できない問題点がある。
【０００８】
よって、本発明は上記問題点等に鑑みてなされたものであり、例えば、プロジェクタのライトバルブに用いられる液晶装置の光学特性を正確に評価可能な光学特性評価装置、及びそのような光学特性評価装置を用いた液晶装置を検査可能な液晶装置の製造方法を提供することを課題とする。
【課題を解決するための手段】
【０００９】
本発明に係る光学特性評価装置は上記課題を解決するために、液晶装置の光学特性を評価するための光学特性評価装置であって、前記液晶装置を保持する液晶装置保持部と、前記液晶装置保持部に保持される液晶装置に光を照射するための光源と、前記液晶装置保持部に対して、前記光源側又は前記光源とは反対側の少なくとも一方に配置された偏光板保持部と、前記偏光板保持部に保持された偏光板を、前記光の光軸を中心にして回転させるための第１回転手段と、前記液晶装置保持部に対して、前記光源とは反対側に配置された投射レンズと、前記液晶装置保持部に保持される液晶装置と、前記投写レンズとを透過して投射された光を検出することにより、前記液晶装置の光学特性を測定する測定部とを備える。
【００１０】
本発明に係る光学特性評価装置では、その動作時には、光源から出射された光源光は、例えば、偏光板を介して液晶装置に照射される。このような光源光は、例えば、液晶層を介して透過光として、該液晶層から出射され、偏光板を介して投射光学系に出射される。
【００１１】
第１回転手段は、前記偏光板保持部に保持された偏光板を、前記光の光軸を中心にして回転させる。この際、例えば２枚の偏光板の透過軸が相互に交差する角度は、直線偏光が透過可能なように、液晶分子の種類（例えば、誘電率異方性）や、表示モード（例えば、ノーマリーブラックモード、ノーマリーホワイトモード）に応じて設定される。したがって、第１回転手段によれば、２枚の偏光板の夫々の透過軸が相互に交差する角度が、液晶分子に種類等に応じて適切に設定されていない場合、より具体的には、透過軸が相互に交差する角度が所定の角度からずれている場合に生じる液晶装置の光学特性の測定誤差を低減できる。ここで、「光学特性」とは、例えば、液晶装置の透過率、或いはコントラストのように液晶装置の表示性能を示す指標を意味する。
【００１２】
投射光学系に取り込まれた光は、測定部に対して、実際の投射型表示装置と同様に、投射レンズによって投射される。この際、液晶装置では所定の検査パターンの表示として例えば全黒表示又は全白表示が行われる。そして、液晶装置からの透過光は表示光として出射され、投射光学系によって測定部に投射される。
【００１３】
測定部は、例えばフォトダイオード、ＣＣＤ（Charged Coupled Device）等を有する照度計を含み、検出した光の照度を測定する。測定部は、測定した照度に基づいて、液晶装置の光学特性として透過率又はコントラストを算出する。或いは、測定部は、液晶装置の光学特性を配光分布として表すようにしてもよい。該配光分布は、照度やコントラスト、又は透過率の分布として表される。
【００１４】
以上の結果、本発明に係る光学特性評価装置によれば、同一の液晶装置の光学特性について、実際の投射型表示装置における測定と相関のとれた測定を行うことができる。その結果、液晶装置の光学特性について精度の高い測定を行うことが可能となる。更に、実際の投射型表示装置に液晶装置を組み込んで測定や評価を行う場合と比べて、統一的な基準下で測定結果や評価結果を出すことが可能となる。
【００１５】
本発明に係る光学特性評価装置の一の態様では、前記液晶装置保持部と前記光源との間には、前記光源から出射した光のうち所定の波長を有する光を選択的に透過させる光学フィルタを配置するための光学フィルタ用スペースが設けられていてもよい。
【００１６】
この態様によれば、光源光が、互いに異なる波長を有する光を含んでいる場合であっても、光源光から所定の波長を有する光のみを光学フィルタを介して液晶装置に入射させることが可能である。例えば、光源光が白色光である場合、当該白色光から所定の波長を有する光として、赤色光、緑色、及び青色光の夫々を選択して液晶装置に入射させることができる。したがって、この態様によれば、赤色光、緑色光、及び青色光の夫々について、波長別に液晶装置の光学特性を測定できる。
【００１７】
本発明に係る光学特性評価装置の他の態様では、前記液晶装置保持部と前記偏光板保持部との間に、位相差板を配置するための位相差板用スペースが設けられていてもよい。
【００１８】
この態様によれば、実際に投射型表示装置に液晶装置が配置された状態で、液晶装置の光学特性を測定できるため、実機に近い状態における液晶装置の光学特性を正確に測定できる。
【００１９】
この態様では、前記位相差板用スペースに配置された位相差板を、前記光軸を中心として回転させるための第２回転手段を更に備えていてもよい。
【００２０】
この態様によれば、例えば、位相差板を回転させながら、測定部が備える照度計によって液晶装置の表示面における照度を測定可能である。位相差板を回転させながら測定することにより、位相差板のマッチングをとることができる。すなわち、最適なコントラスト値を得ることができる位相差版の配置を決定することができる。
【００２１】
本発明に係る光学特性評価装置の他の態様では、開口部を有し、前記液晶装置保持部と前記投写レンズとの間に配置された取り込み絞りを更に備え、前記投射レンズは、前記取り込み絞りにより取り込まれた光を投射してもよい。
【００２２】
この態様によれば、液晶装置から出射された出射光は、光取り込み領域を規定する開口部を有する取り込み絞りにより取り込まれる。
【００２３】
ここに、「光取り込み領域」とは、光路上で取り込み絞りの次段に設けられる投射光学系の投射レンズにおける光の入射領域を意味する。即ち、液晶装置から出射される光の光路に垂直な断面上で、取り込み絞りによって投射レンズに取り込まれる光の領域を意味する。
【００２４】
取り込み絞りは、例えば開口径が可変な、例えばカメラの絞りの如き可変絞りや、一種又は複数種類の開口径の絞りを交換して用いて構成される。取り込み絞りを用いることにより、光取り込み領域を、上述したような実際の投射型表示装置における投射レンズの断面形状に対応する構成とすることが可能となる。即ち、本発明に係る光学特性評価装置では、好ましくは、取り込み絞りの開口部における開口径及び開口の形状は、上述したような実際の投射型表示装置における投射レンズの断面形状に鑑み構成される。よって、この態様によれば、実際の投射型表示装置と同様に、液晶装置からの出射光を制限することが可能となる。
【００２５】
また特に、取り込み絞りによって、例えば、一対の基板間における組みずれに起因して斜めの光成分を相対的に多く含む液晶装置からの出射光の光束断面上で、該出射光のうち周辺寄りの光部分を遮断できる。他方で実機の場合には、このような組ずれに起因した斜めの光成分は、実際のプロジェクタ等の投射光学系により概ね制限されるので、例えば投影画面上など、実機におけるコントラスト比に対して影響は殆どない。従って、上述のように取り込み絞りを投射レンズの前段に挿入することで、実際に投影した状態と同じような状態を構築すれば、実機におけるコントラスト比の測定を高精度で行える結果となる。
【００２６】
このように、取り込み絞りの開口部を介して投射レンズに取り込まれた光は、測定部に対して、実際の投射型表示装置と同様に、投射レンズによって投射される。この際、液晶装置では、所定の検査パターンの表示として例えば全黒表示又は全白表示が行われる。液晶装置からの透過光は表示光として出射され、投射光学系によって測定部に投射される。尚、投射光学系には、投射レンズに対して、該投射レンズからの出射光を制限する絞りが設けられるのが好ましい。このようにすれば、より実際の投射型表示装置に近い状態で、測定部に光を入射させることが可能となる。
【００２７】
この態様では、前記投射レンズは、前記取り込み絞りにより取り込まれた光の光路上で、前記取り込み絞りに対して他の光学部材を介することなく隣接していてもよい。
【００２８】
この態様によれば、光路上で、取り込み絞り及び投射レンズは、他の光学部品を介することなく、例えば空気等の媒質を介して又は接触するように配置されている。このため、上述の如く、投射レンズに取り込まれる光を、取り込み絞りの開口部によって高精度で取り込むことが可能となり、液晶装置の光学特性について精度の高い測定を行うことが可能となる。
【００２９】
本発明に係る光学特性評価装置の他の態様では、前記取り込み絞りは、取り外し可能に構成されていてもよい。
【００３０】
この態様によれば、取り込み絞りを取り外したり取り付けたりして液晶装置の光学特性を測定することにより、組みずれを検出することが可能となる。ここに、液晶装置の製造において、一対の基板が位置ずれして貼り合わされると、組みずれが生じることになる。組みずれの度合いが大きい程、液晶装置からの出射光には、該液晶装置の光出射面に対して鉛直方向と異なる方向に向かう光が相対的に多く含まれることになる。
【００３１】
また、実際の投射型表示装置では、投射レンズの断面形状は、液晶装置からの出射光のうち該液晶装置の光出射面に対して鉛直方向に向かう光が多く入射されるように構成される。
【００３２】
よって、取り込み絞りを取り外した状態で、組みずれの度合いが許容範囲外の液晶装置の光学特性を測定すると、得られる測定値と実際の投射型表示装置における測定値との相関性は低くなる。
【００３３】
取り込み絞りを取り付けると、組みずれの度合いが許容範囲外の液晶装置についても、実際の投射型表示装置と同様に、当該液晶装置からの出射光を制限することが可能となる。即ち、投射光学系における投射レンズには、液晶装置からの出射光のうち該液晶装置の光出射面に対して鉛直方向に向かう光が多く取り込まれる。よって、取り込み絞りを取り付けた状態で、電気光学装置における組みずれの度合いが許容範囲内であっても許容範囲外であっても、該液晶装置の光学特性を測定すると、得られる測定値と実際の投射型表示装置における測定値との相関性は高くなる。
【００３４】
よって、測定部によって測定される光学特性について、取り込み絞りを取り付けた状態での測定値と、取り込み絞りを取り外した状態での測定値との相関をとることによって、液晶装置における組みずれが許容範囲内か否かについて調べることが可能となる。
【００３５】
また、液晶装置の光学特性として、配光分布に基づいて視角特性を得ることも可能である。そして、取り込み絞りを取り付けた場合と、取り込み絞りを取り外した場合とで、該視角特性を比較することによって、液晶装置における組みずれが許容範囲内か否かについて調べることが可能となる。
【００３６】
本発明に係る光学特性評価装置の他の態様では、前記光源から出射された光を集光する集光手段を更に備えていてもよい。
【００３７】
この態様によれば、集光手段を用いることにより、光源から出射する光を効率良く液晶装置に照射させることが可能となる。尚、集光手段に絞りを設けて、該絞りによって集光手段からの出射光が制限されるのが好ましい。このようにすれば、実際の投射型表示装置と同様に液晶装置に対して光を入射させることが可能となる。
【００３８】
本発明に係る液晶装置の製造方法は上記課題を解決するために、一対の基板間に液晶分子の誘電率異方性が負である液晶層が挟持されてなる液晶装置を製造する方法であって、上述した光学特性評価装置を用いて液晶装置の光学特性を検査する検査工程を備える。
【００３９】
本発明に係る液晶装置の製造方法によれば、上述した光学特性評価装置を用いて液晶装置を検査することから、液晶装置を選別する指標となる透過率、及びコントラスト等の光学特性を正確に検査でき、液晶装置が良品或いは不良品であるか否かを正確に検査できる。
【００４０】
本発明のこのような作用及び他の利得は次に説明する実施形態から明らかにされる。
【発明を実施するための最良の形態】
【００４１】
以下では、本発明の実施形態を図を参照しつつ説明する。
【００４２】
＜１：第１実施形態＞
先ず、本発明に係る光学特性評価装置の第１実施形態を、図１から図８を参照して説明する。
【００４３】
＜１−１：液晶装置の構成＞
本実施形態に係る光学特性評価装置による評価対象である液晶装置の構成について、図１及び図２を参照して説明する。ここに、図１は、ＴＦＴアレイ基板をその上に形成された各構成要素と共に対向基板の側から見た液晶パネルの平面図であり、図２は、図１のＨ−Ｈ´断面図である。
【００４４】
ここでは、液晶装置の一例である駆動回路内蔵型のＴＦＴアクティブマトリクス駆動方式の液晶装置を例にとる。この液晶装置は、液晶プロジェクタ等の投射型表示装置においてライトバルブとして用いられる。
【００４５】
図１及び図２において、液晶装置１では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、液晶装置は、プロジェクタのライトバルブ用として小型で拡大表示を行うのに適している。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
画像表示領域１０ａの周辺に広がる領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。尚、外部回路接続端子１０２と別に後述する検査用駆動信号が印加される検査用の端子（図示省略）が設けられてもよい。
【００４９】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５０】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。
【００５１】
液晶層５０は、誘電率異方性が負である液晶分子を含んで構成されている。したがって、液晶装置１は、垂直配向（ＶＡ）モードで液晶分子の配向が制御される液晶装置である。尚、本発明に係る光学特性評価装置の評価対象となり得る液晶装置は、誘電率異方性が負である液晶分子を有する液晶装置に限定されるもではなく、例えば一種又は数種類のネマティック液晶を混合した液晶からなり、これら一対の配向膜間で、所定の配向状態をとる液晶装置であってもよい。
【００５２】
また、液晶装置１を液晶プロジェクタ等の投射型表示装置に組み込む場合には、ＴＦＴアレイ基板１０及び対向基板２０の各々の対向面の背面側には配向方向に応じた偏光板（図示省略）が配置される。図１及び図２に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５３】
＜１−２：画素部における構成＞
以下では、本実施形態における液晶装置の画素部における構成について、図３を参照して説明する。ここに図３は、液晶装置の画像表示領域１０ａを構成するマトリクス状に形成された複数の画素における各種素子、配線等の等価回路である。
【００５４】
図３において、液晶装置１の画像表示領域１０ａを構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００５５】
また、ＴＦＴ３０のゲートにゲート電極３ａが電気的に接続されており、所定のタイミングで、走査線１１ａ及びゲート電極３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎを所定のタイミングで書き込む。
【００５６】
画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。液晶は、印加される電圧レベルにより分子集合の配向や秩序が変化することにより、光を変調し、階調表示を可能とする。本実施形態では、液晶層５０に含まれる液晶分子がＶＡモードで配向が規制されるため、ノーマリーブラックモードで画像表示領域１０ａに画像が表示される。即ち、液晶装置１の動作時には、各画素の単位で印加された電圧に応じて入射光に対する透過率が増加され、全体として液晶装置１から画像信号に応じたコントラストをもつ光が出射される。このようなノーマリーブラックモードで画像を表示する液晶装置１をプロジェクタのライトバルブに用いる場合、液晶装置１の光入射側及び光出射側の夫々の側には、透過軸が互いに直交するように２枚の偏光板が配置される。したがって、後述するように、液晶装置１の光学特性を評価する際には、液晶装置１の光入射側及び光出射側の夫々の側に配置された偏光板の透過軸が互いに直交するように偏光板を回転させることによって、液晶装置１が実際にプロジェクタに配置された状態で光学特性が評価される。
【００５７】
ここで保持された画像信号がリークするのを防ぐために、画素電極９ａと対向電極２１との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【００５８】
図１において、走査線駆動回路１０４は、上述の如く走査信号Ｇ１、Ｇ２、・・・、Ｇｍを所定タイミングで走査線３ａに供給し（図３参照）、データ線駆動回路１０１は、上述の如く画像信号Ｓ１、Ｓ２、・・・、Ｓｎを所定タイミングでデータ線６ａに供給する（図３参照）。
【００５９】
＜１−３：光学特性評価装置の構成＞
次に、図４乃至図７を参照しながら、本発明に係る光学特性評価装置の実施形態であって、液晶装置１の光学特性を評価するための光学特性評価装置４００（以下、評価装置４００と称す。）の構成を説明する。図４は、評価装置４００の構成を、その光路に沿った横断面上で概略的に示した図式的構成図である。図５は、液晶装置１の光学特性（コントラスト、白照度、及び黒照度）と、第２偏光板４５ｂを回転角度の関係を示すグラフである。図６は、液晶装置１における液晶層に印加される駆動電圧と、透過率との関係を光の波長毎に示したグラフである。図７は、液晶装置に位相差板を配置しない場合と、配置した場合との夫々における液晶装置１のコントラストを示したグラフである。
【００６０】
図４において、評価装置４００は、主要部として、光源４２及び入射側光学系４３、投射レンズ４０６を含む投射光学系４７、取り込み絞り４６、測定部４８、本発明に係る「第１回転手段」の一例を構成する回転機構８１ａ、８１ｂ、並びに本発明に係る「第２回転手段」の一例を構成する回転機構８２ａ及び８２ｂを備えている。入射側光学系４３は、本発明に係る「集光手段」に相当し、光源４２及び入射側光学系４３によって本発明に係る「光源手段」の一例が構成されている。
【００６１】
図４において、光源４２はファイバ式として構成されており、入射側光学系４３に均一でムラのない光を照射することが可能となる。尚、光源４２を、レーザ装置や蛍光管を用いて構成してもよい。
【００６２】
入射側光学系４３には、光の入射側から順に第１のレンズ４０２ａ、第２のレンズ４０２ｂ、及び第３のレンズ４０２ｃが共通の光軸４０に沿って設けられている。第１のレンズ４０２ａと第２のレンズ４０２ｂとの間には第１の絞り４０４ａが設けられている。また、第２のレンズ４０２ｂと第３のレンズ４０２ｃとの間には第２の絞り４０４ｂが設けられている。第１の絞り４０４ａによって、第１のレンズ４０２ａからの出射光を制限して、第２のレンズ４０２ｂに入射される光を調整する。また、第２の絞り４０４ｂによって、第２のレンズ４０２ｂからの出射光を制限して、第３のレンズ４０２ｃに入射される光を調整する。
【００６３】
入射側光学系４３と投射光学系４７との間には、ステージ４０１が設けられており、このステージ４０１上に液晶装置１が保持される。液晶装置１は、対向基板２０側からステージ４０１を介して光が入射されＴＦＴアレイ基板１０側から透過光が出射されるように配置されている。即ち、対向基板２０の液晶層５０に面する側と反対側の面がステージ４０１に保持されると共に、ＴＦＴアレイ基板１０の液晶層５０に面する側と反対側の面が液晶装置１の光出射面となる。図４において、液晶装置１は、光出射面に対して光軸４０が鉛直となるように、水平にステージ４０１上に保持される。また、図４には、第１偏光板４５ａ及び第２偏光板４５ｂが液晶装置１に対して、評価装置４００の光路に配置されている。
【００６４】
図４において、入射側光学系４３における第３のレンズ４０２ｃからの出射光は、第１偏光板４５ａ及びステージ４０１を介して液晶装置１に入射される。上述したように、第２の絞り４０４ｂによって、第３のレンズ４０２ｃに入射される光を調整することにより、液晶装置１に入射される光を調整できる。
【００６５】
ステージ４０１は、図４中矢印Ａで示すように、評価装置４００において水平方向（図中左右方向）にスライド可能に構成されている。ステージ４０１には、基準照度測定用開口部４０３が設けられている。ステージ４０１をスライドさせることによって、第１偏光板４５ａ及び第２偏光板４５ｂ、並びに液晶装置１の代わりに基準照度測定用開口部４０３を光路に配置させることも可能である。
【００６６】
ここで、液晶装置１は、ＶＡモード駆動されるため、第１偏光板４５ａ及び第２偏光板４５ｂの夫々の透過軸が互いに直交していない場合には、液晶装置１のコントラストを正確に評価できない。より具体的には、図５に示すように、液晶装置１の非動作時における液晶装置１の表示面の照度（黒照度）と、液晶装置１の動作時における液晶装置１の表示面の照度（白照度）とは、液晶装置１がＶＡモードで駆動されることに起因して第２偏光板４５ｂの回転角度に応じて大きく変動する。したがって、白表示及び黒表示の夫々における表示面の照度の比であるコントラストも、第２偏光板４５ｂの回転角度に応じて大きく変動する。したがって、第１偏光板４５ａ及び第２偏光板４５ｂの夫々の透過軸が相互に直交する位置から、例えば１°或いは２°のように僅かに透過軸がずれている場合であっても、液晶装置１のコントラスト等の光学特性が正しく測定されないことになる。
【００６７】
そこで、光学特性評価装置４００では、回転機構８１ｂが、評価装置４００による液晶装置１の光学特性評価時に、第１偏光板４５ａを固定した状態で、光軸４０を中心にして第２偏光板４５ｂを回転させ、第１偏光板４５ａ及び第２偏光板４５ｂの夫々に透過軸を相互に直交させる。第１偏光板４５ａ及び第２偏光板４５ｂの夫々の透過軸を相互に直交させることによって、ＶＡモードで配向が規制される液晶を用いた液晶装置１の光学特性を正確に評価できる。尚、評価装置４００によって評価される液晶装置が、ＶＡモード以外の駆動モードで配向が規制される場合、第１偏光板４５ａ及び第２偏光板４５ｂの夫々の透過軸が交差する角度は、評価対象となる液晶装置に応じて適宜設定されることは言うまでもない。また、本実施形態では、第２偏光板４５ｂを回転させる場合を例に挙げたが、第１偏光板４５ａ及び第２偏光板４５ｂの夫々を光軸４０を中心にして回転させることによって透過軸の交差状態を調整してもよいし、第２偏光板４５ｂを固定して第１偏光板４５ａを回転させてもよい。
【００６８】
また、光源４２は、白色光源であるため、白色光源をそのまま用いたのでは、液晶装置１の光学特性について、液晶装置１に入射する入射光の波長に対する光学特性の波長依存性を評価することができない。より具体的には、図６に示すように、液晶装置１は、赤色光、緑色、及び青色光の夫々について、液晶を駆動する駆動電圧及び透過率の関係（即ちＶ−Ｔ特性）が相互に異なる。したがって、白色光源をそのまま用いたのでは、液晶装置１のＶ−Ｔ特性を光の波長毎に評価することが難しい。
【００６９】
そこで、光学特性評価４００では、第１偏光板４５ａと第３のレンズ４０２ｃとの間に、本発明に係る「光学フィルタ」の一例であるダイクロイックフィルタ５６を配置するためのスペースＳ１が確保されており、評価装置４００による液晶装置１の評価時に、スペースＳ１にダイクロイックフィルタ５６が配置される。ダイクロイックフィルタ５６は、光源４２から出射された光源光のうち所定の波長を有する光を液晶装置１に入射させる。より具体的には、光源光が白色光である場合、当該白色光から所定の波長を有する光として、赤色光、緑色、及び青色光の夫々を選択的に液晶装置１に入射させることができる。したがって、評価装置４００によって、液晶装置１の光学特性を、白色光源を用いた場合でも入射する光の波長に応じて（例えば、赤色光、緑色光、及び青色光の夫々について）評価することが可能であり、光学特性の波長依存性を評価できる。これにより、評価装置４００によって、液晶装置１のＶ−Ｔ特性を評価できる。
【００７０】
また、図７に示すように、第１偏光板４５ａ及び第２偏光板４５ｂの夫々と、液晶装置１との間に位相差板を設けた場合とでは、図中サンプルＡ、Ｂ及びＣの測定結果に示されるように、液晶装置１のコントラストに差が生じることが、本願発明者によって確認されている。
【００７１】
そこで、光学特性評価装置４００では、第１偏光板４５ａ及びステージ４０１の間に確保されたスペースＳ２には、位相差板５５ａが配置されている。第２偏光板４５ｂ及び液晶装置１の間に確保されたスペースＳ３には、位相差板５５ｂが配置されている。回転機構８２ａ及び８２ｂの夫々は、評価装置４００による液晶装置１の光学特性の評価時に、位相差板５５ａ及び５５ｂを光軸４０を中心にして回転させ、位相差板のマッチングをとる。このように、位相差板５５ａ及び５５ｂを回転させながら液晶装置１の光学特性を評価することによって、実際にプロジェクタに液晶装置１が配置された状態と同じ条件下で、液晶装置１の光学特性を測定できるため、実機に近い状態における液晶装置１の光学特性を正確に測定できる。
【００７２】
液晶装置の光学特性は、液晶装置１に入射する光の波長に応じて異なり、波長依存性を有している。したがって、液晶装置１に入射する光の波長に応じた位相差板のマッチング、或いは液晶装置に入射する光の入射角及び液晶装置１から位相差板５５ｂに出射される光の出射角を変えながら位相差板５５ａ及び５５ｂのマッチングを評価することも可能である。なお、位相差板５５ａ及び５５ｂを回転させながら、測定部４８が備える照度計によって液晶装置１の表示面における照度を測定することができる。
【００７３】
取り込み絞り４６は、第２偏光板４５ｂを介して液晶装置１から出射される光が入射されるように配置されている。投射光学系４７は、投射レンズ４０６及び第３の絞り４０４ｃを備えている。投射レンズ４０６には、取り込み絞り４６を介して液晶装置１からの出射光が入射される。
【００７４】
測定部４８は、投射レンズ４０６からの出射光が第３の絞り４０４ｃを介して入射する照度計４１０、及び該照度計４１０に接続された検査端末４１２を備えている。第３の絞り４０４ｃによって、投射レンズ４０６から出射した光を制限して、照度計４１０に入射される光を調整する。検査端末４１２は、パーソナルコンピュータ、ワークステーション等により構成される。
【００７５】
尚、評価装置４００には、液晶装置１に対して評価用駆動信号を供給するための評価用駆動手段（図示省略）が設けられることが好ましい。評価用駆動手段は、例えば、評価用駆動信号を、液晶装置１の外部回路接続用端子又は評価用の端子に印加するためのプローブや、フレキシブルコネクタを介して印加するための接続部を有する。
【００７６】
＜１−４：液晶装置の評価＞
次に、図４及び図８を参照して、評価装置４００によって行われる液晶装置１の光学特性の評価について説明する。図８は、液晶装置１のコントラスト及び透過率の測定結果を示したグラフである。図８（ａ）には、液晶装置１の光学特性として透過率の測定結果について示してあり、及び図８（ｂ）には、液晶装置１の光学特性としてコントラストの測定結果について示してある。
【００７７】
液晶装置１の評価時、評価用駆動手段から液晶装置１に評価用駆動信号が出力される。液晶装置１では、供給された評価用駆動信号に基づいて、走査線駆動回路１０４及びデータ線駆動回路１０１より出力される走査信号Ｇ１、Ｇ２、・・・、Ｇｍ及び画像信号Ｓ１、Ｓ２、・・・、Ｓｎが各画素部に供給されることによって、画像表示領域１０ａに所定の評価パターンが表示される。本実施形態では、画像表示領域１０ａにおいて、所定の評価パターンの表示は好ましくは全白表示又は全黒表示として行われる。より具体的には、液晶装置１は、ノーマリーブラックモードで駆動されるため、評価用駆動信号が供給されていない状態で全黒表示を行い、当該黒表示を行った際の表示面の照度（黒照度）が測定される。また、液晶装置１は、評価用駆動信号が供給された状態で白表示を行い、測定部４８によって白表示を行った際の表示面の照度（白照度）が測定される。尚、ノーマリーホワイトモードで駆動される液晶装置であれば、評価用駆動信号が印加されていない状態で、全白表示の検査を行なうことも可能である。
【００７８】
投射レンズ４０６における光取り込み領域は、取り込み絞り４６の開口径及び開口の形状によって規定される。よって、取り込み絞り４６によって、実際の投射型表示装置と同様に、液晶装置１からの出射光を調整することが可能となる。
【００７９】
更に、図４に示す評価装置４００の構成によれば、入射側光学系４３に設けられた第１の絞り４０４ａ及び第２の絞り４０４ｂによって、上述したような光の調整を行うことにより、実際の投射型表示装置と同様に、液晶装置１に光を照射することが可能となる。更に、投射光学系４７に設けられた第３の絞り４０４ｃによって、投射レンズ４０６からの出射光を調整することにより、実際の投射型表示装置と同様に照度計４１０に光を入射させることが可能となる。
【００８０】
測定部４１０において、照度計４１０は入射された光の照度を測定する。そして、検査端末４１２は、測定された照度に基づいて、液晶装置１の光学特性として透過率又はコントラストを算出する。尚、照度計４１０による照度の測定時には、上述したように、ダイクロイックフィルタ５６によって液晶装置１に入射する光の波長を限定してもよいし、第２偏光板４５ｂを回転させながら測定してもよい。また、位相差板５５ａ及び５５ｂを回転させながら照度を測定してもよい。このようにすれば、液晶装置１のコントラスト或いは透過率等の光学特性を正確に測定できるだけでなく、その波長依存性も評価できる。加えて、位相差板のマッチングもとることが可能である。
【００８１】
ここで、透過率の測定は、次のように行われる。評価装置４００において、ステージ４０１をスライドさせて基準照度測定用開口部４０３を光路に配置させる。この状態で、投射レンズ４０６には取り込み絞り４６を介して、基準照度測定用開口部４０３を通過した第３のレンズ４０２ｃの出射光が入射される。よって、照度計４１０では、第１偏光板４５ａ及び第２偏光板４５ｂ、並びに液晶装置１を光路に配置していない状態において、投射レンズ４０６から出射される光の照度が測定される。このように測定された照度が基準照度とされる。
【００８２】
他方、照度計４１０では、第１偏光板４５ａ及び第２偏光板４５ｂ並びに液晶装置１を光路に配置した状態において、投射レンズ４０６から出射される光の照度が測定される。
【００８３】
検査端末４１２は、透過率として、基準照度と、偏光板４５ａ及び４５ｂ並びに液晶装置１を光路に配置した状態で測定された照度との比を算出する。図８（ａ）には、このように算出された透過率について、実際の投射型表示装置において同一の液晶装置１を用いて同様に測定された透過率との相関を表すグラフを示してある。尚、図８（ａ）には、横軸に実際の投射型表示装置における照度の測定値をとり、「実機プロジェクタの測定値」として示してあり、縦軸に評価装置４００における透過率の測定値をとり、「検査装置の測定値」として示してある。
【００８４】
図８（ａ）において、実際の投射型表示装置における照度の測定値と、これら測定値の各々と対応する評価装置４００における照度の測定値は、互いに比例関係を示すと共に、その相関値はほぼ０．９８となる。
【００８５】
次に、コントラストの測定について説明する。評価装置４００において、液晶装置１は所定の検査パターンの表示として全白表示及び全黒表示を行う。そして、照度計４１０では、全白表示及び全黒表示の夫々において、投射レンズ４０６から出射される光の照度が測定される。検査端末４１２は、コントラストとして、全白表示において測定された照度と全黒表示において測定された照度との比を算出する。
【００８６】
図８（ｂ）には、このように算出されたコントラストについて、実際の投射型表示装置において同一の液晶装置１を用いて同様に測定されたコントラストとの相関を表すグラフを示してある。尚、図８（ｂ）には、横軸に実際の投射型表示装置におけるコントラストの測定値をとり、「実機プロジェクタの測定値」として示してあり、縦軸に評価装置４００におけるコントラストの測定値をとり、「検査装置の測定値」として示してある。
【００８７】
図８（ｂ）において、実際の投射型表示装置におけるコントラストの測定値と、これら測定値の各々と対応する評価装置４００におけるコントラストの測定値は、互いに比例関係を示すと共に、その相関値はほぼ０．９６となる。
【００８８】
以上説明したように、評価装置４００によれば、同一の液晶装置の光学特性について、実際の投射型表示装置における測定と相関のとれた測定を行うことができる。加えて、液晶装置１の光入射側及び光出射側の夫々に配置される偏光板の透過軸を相互に直交させて光学特性が測定できるため、液晶装置の光学特性について精度の高い測定を行うことが可能となる。また、液晶装置の光学特性の波長依存性も評価できるうえ、位相差板のマッチングもとることができる。
【００８９】
＜１−５：液晶装置の製造方法＞
次に、図９を参照しながら、本発明に係る液晶装置の製造方法の実施形態を説明する。図９は、本実施形態に係る液晶装置の製造方法の主要な工程を示したフローチャートである。ここでは、液晶装置１を製造する場合を例に挙げる。
【００９０】
図９において、シール材でＴＦＴアレイ基板１０及び対向基板２０を貼り合わせた（ステップＳ３１）後、これら基板間に液晶を注入し、液晶装置１を組み上げる（ステップＳ３２）。次に、上述した評価装置４００を用いて、液晶装置１の光学特性を検査する（ステップＳ３３）。これにより、液晶装置１のコントラスト等の光学特性が設計通りに、或いは、良品と判断される基準値を満たしているか否かが検査される。したがって、本実施形態に係る液晶装置の製造方法によれば、高品位の液晶装置のみを迅速に選別できる。尚、ＴＦＴアレイ基板１０及び対向基板２０を貼り合せる前にいずれか一方の基板上に液晶を配置し、その後ＴＦＴアレイ基板１０と対向基板２０を貼り合わせることによって液晶装置１を組み上げてもよい。
【００９１】
＜１−６：取り込み絞り＞
次に、図１０を参照しながら、本発明に係る光学特性評価装置の取り込み絞りについて説明する。図１０は、取り込み絞り４６の構成例を概略的に示す斜視図である。
【００９２】
評価装置４００において、取り込み絞り４６は、例えば次のように取り外し可能に構成されている。図１０において、取り込み絞り４６は、保持板部材６０２に保持された状態で、評価装置４００における光路に設置される。保持板部材６０２には、取り込み絞り４６の外形と対応する形状を有する開口部６０２ａが設けられている。保持板部材６０２は、取り込み絞り４６を開口部６０２ａにはめ込むことによって取り付けたり、開口部６０２ａから取り込み絞り６０４を取り外し可能に構成されている。なお、取り込み絞り４６だけではなく、図４の絞り４０４ａ、４０４ｂ、４０４ｃも同じく取り外し可能である。つまり、絞りΦを変えることが可能である。
【００９３】
次に、図８（ａ）及び図８（ｂ）に示す測定結果が得られた液晶装置について、取り込み絞り４６を取り外した状態で、透過率及びコントラストの測定を行って得られた測定結果について
説明する。
【００９４】
実際の投射型表示装置における透過率の測定値と、これら測定値の各々と対応する評価装置４００における透過率の測定値は、図８（ａ）と同様に比例関係を示すものの、その相関値は約０．９８から約０．８９に低下する。
【００９５】
また、実際の投射型表示装置におけるコントラストの測定値と、これら測定値の各々と対応する評価装置４００におけるコントラストの測定値は、図８（ｂ）と同様に比例関係を示すものの、その相関値は約０．９６から約０．４５に低下する。
【００９６】
このように、取り込み絞り４６を取り外した状態で、評価装置４００におけるコントラスト及び透過率の測定値と、実際の投射型表示装置におけるコントラスト及び透過率の測定値との相関値が低下するのは、以下のような理由による。
【００９７】
液晶装置における組みずれの度合いが大きくなるに従って、液晶装置からの出射光には、該液晶装置の光出射面に対して鉛直方向と異なる方向に向かう光が多く含まれることになる。
【００９８】
また、実際の投射型表示装置では、投射レンズの断面形状は、液晶装置からの出射光のうち該液晶装置の光出射面に対して鉛直方向に向かう光が多く入射されるように構成される。
【００９９】
よって、取り込み絞り４６を取り外した状態でコントラスト又は透過率を測定すると、液晶装置における組みずれの度合いが大きい程、得られる測定値と実際の投射型表示装置における測定値との相関性は低くなる。
【０１００】
他方、取り込み絞り４６を取り付けると、組みずれの度合いが許容範囲外の液晶装置についても、実際の投射型表示装置と同様に、当該液晶装置からの出射光を制限することが可能となる。即ち、投射光学系４７における投射レンズ４０６には、液晶装置１からの出射光のうち該液晶装置１の光出射面に対して鉛直方向に向かう光が多く入射される。よって、取り込み絞り４６を取り付けた状態で、組みずれの度合いが許容範囲外の液晶装置のコントラスト又は透過率を測定すると、得られる測定値と実際の投射型表示装置における測定値との相関性は高くなる。
【０１０１】
よって、評価装置４００における、取り込み絞り４６を取り付けた状態での測定値と、取り込み絞り４６を取り外した状態での測定値との相関をとることによって、液晶装置における組みずれが許容範囲内か否かについて調べることが可能となる。例えば、取り込み絞り４６を取り付けた状態での相関係数と、取り外した状態での相関係数との差が、相対的に小さければ、このとき評価対象とされている液晶装置における組みずれの度合いは相対的に小さいと判定できる。逆に、この差が、相対的に大きければ、このとき評価対象とされている液晶装置における組みずれの度合いは相対的に大きいと判定できる。このため、例えば、許容範囲となる組ずれの度合いに対応する相関係数の差についての閾値を予め設定しておけば、評価結果として得られる該相関係数の差がこの閾値を超えたか否かによって、組ずれの度合いが許容範囲に入っているか否かを簡単に判別できることになる。
【０１０２】
尚、評価装置４００において、検査端末４１２は、液晶装置の光学特性を、測定された照度や算出したコントラストの分布によって表される配光分布として示すようにしてもよい。更に、検査端末４１２において、配光分布に基づいて視角特性を示す出力データが生成されるのが望ましい。
【０１０３】
＜２：第２実施形態＞
以上説明した、第１実施形態の変形例について説明する。図４に示す評価装置４００において、取り込み絞り４６は、相異なる開口径を有する複数の絞りであってそれらのうち一つが選択されて液晶装置１に対して配置可能に構成されてもよい。
【０１０４】
取り込み絞り４６は、例えば図１０を参照して説明したような構成とする。そして、保持板部材６０２の開口部６０２ａに対して、相異なる開口径を有する複数の絞りを交換して取り付けるようにする。このようにすれば、評価装置４００において、複数種類の液晶装置を交換して光学特性について評価する場合も、該液晶装置の種類に応じて取り込み絞り４６として複数の絞りを交換して用いることが可能となる。その結果、液晶装置の光学特性についてより精度の高い測定を行うことができる。
【０１０５】
また、評価装置４００における光路に、取り込み絞り４６が、液晶装置１に対して、その基板面に沿った方向に移動可能に設けられるのが好ましい。
【０１０６】
本発明は、上述した実施形態に限られるものではなく、請求の範囲及び明細書全体から読み取れる発明の要旨、あるいは思想に反しない範囲で適宜変更可能であり、そのような変更を伴う光学特性評価装置及び液晶装置の製造方法もまた、本発明の技術的範囲に含まれるものである。
【図面の簡単な説明】
【０１０７】
【図１】本発明の第１実施形態に係る光学特性評価装置によって光学特性が評価される液晶装置の全体構成を示す平面図である。
【図２】図１のＨ−Ｈ´断面図である。
【図３】液晶装置の画像表示領域を構成するマトリクス状に形成された複数の画素部における各種素子、配線等の等価回路である。
【図４】本発明の第１実施形態に係る光学特性評価装置の構成の概略を示した図式的構成図である。
【図５】本発明の第１実施形態に係る光学特性評価装置によって光学特性が評価される液晶装置の光学特性（コントラスト、白照度、及び黒照度）と、偏光板４５の回転角度との関係を示すグラフである。
【図６】本発明の第１実施形態に係る光学特性評価装置によって光学特性が評価される液晶装置における液晶層に印加される駆動電圧と、透過率との関係を光の波長毎に示したグラフである。
【図７】本発明の第１実施形態に係る光学特性評価装置によって光学特性が評価される液晶装置に位相差板を配置しない場合と、配置した場合との夫々における液晶装置のコントラストを示したグラフである。
【図８】本発明の第１実施形態に係る光学特性評価装置によって測定された液晶装置の透過率及びコントラストの測定結果を示すグラフである。
【図９】本発明の第１実施形態に係る液晶装置の製造方法の主要な工程を示したフローチャートである。
【図１０】本発明の第１実施形態に係る光学特性評価装置が備える取り込み絞りの構成例を概略的に示す斜視図である。
【符号の説明】
【０１０８】
１・・・液晶装置、１０・・・ＴＴＦアレイ基板。２０・・・対向基板、８１ｂ，８２ａ，８２ｂ・・・回転機構、４５ａ・・・第１偏光板、４５ｂ・・・第２偏光板、５５ａ，５５ｂ・・・位相差板、４００・・・光学特性評価装置
【図１】
2008076984.tif 000003
【図２】
2008076984.tif 000004
【図３】
2008076984.tif 000005
【図４】
2008076984.tif 000006
【図５】
2008076984.tif 000007
【図６】
2008076984.tif 000008
【図７】
2008076984.tif 000009
【図８】
2008076984.tif 000010
【図９】
2008076984.tif 000011
【図１０】
2008076984.tif 000012